【事件の表示】
　平成３年特許願第３０７３８５号「電子部品のピックアップ方法」拒絶査定に対する審判事件［平成５年６月１１日出願公開、特開平５−１４５２８４］について、次のとおり審決する。
【結　論】
　本件審判の請求は、成り立たない。
【理　由】
１．手続の経緯・本願発明
　本願は、平成３年１１月２２日の出願であって、本願の請求項１に係る発明は、平成１１年７月１６日付け及び平成１３年３月２８日付け手続補正書によって補正された明細書及び図面の記載からみて、本願明細書の特許請求の範囲の請求項１に記載された次のとおりのものと認める。
「【請求項１】ピッチをおいて形成されたポケットに電子部品が封入された電子部品封入テープを巻装する供給リールと、このテープを案内するガイド部材と、このガイド部材の前部にあってこのガイド部材の上面に沿ってこのテープをピッチ送りするスプロケットを有するピッチ送り手段と、このスプロケットをピッチ回転させるレバーと、移載ヘッドのピックアップ位置に送られる電子部品のポケット内からの飛び出しを防止するシャッター手段とを備え、このシャッター手段が、前記レバーに駆動されて前記スプロケットがピッチ回転するのに連動して往復動することにより前記ピックアップ位置において前記ポケットを開閉するシャッター板からなり、このシャッター板にスリットを形成し、このスリットの縁部に上記電子部品封入テープの上面に貼着されたカバーテープを剥離する剥離刃を設けることにより、このシャッター板と剥離部を一体的に形成したテープフィーダを用いた電子部品のピックアップ方法であって、上記剥離刃によって上記カバーテープが剥された後の上記カバーテープに覆われていない電子部品を前記シャッター板により面で覆い、電子部品が移載ヘッドによるピックアップ位置までピッチ送りされると、このピッチ送りに連動して上記シャッター板がテープの送り方向に往復動して上記ポケットを開放し、上記移載ヘッドにより電子部品をピックアップすることを特徴とする電子部品のピックアップ方法。」
　（以下、「本願発明」という。）
　
２．引用刊行物記載の発明
　これに対して、当審における平成１３年１月１９日付け拒絶理由通知で引用した、本願の出願前である平成３年８月２１日に日本国内において頒布された実願平１−１４１９２３号（実開平３−８２１２２号）のマイクロフィルム（以下、「引用刊行物１」という。）、同じく昭和６２年５月２２日に日本国内において頒布された特開昭６２−１１１８２５号公報（以下、「引用刊行物２」という。）及び同じく昭和６２年６月３０日に日本国内において頒布された特開昭６２−１４６８７４号公報（以下、「引用刊行物３」という。）には、それぞれ、次の事項が記載されている。
　
２−１．引用刊行物１記載の発明
　引用刊行物１には、テープフィーダに関して、図面第１図ないし第４図と共に、次の事項が記載されている。
（１−１）「第１図はテープフィーダの先端部分の斜視図、第２図は側面図であって、１はチップがピッチをおいて封入された電子部品封入テープであり、レール２上を摺動する。このレール２の前方には、このテープ１をピッチ送りするピッチ送り手段３が配設されている。このピッチ送り手段３は、上記テープ１にピッチをおいて形成されたピン孔４に係合するピン５を有するスプロケット６や、送りギヤ７等から成っており、スプロケット６が間欠的にピッチ回転することにより、テープ１をピッチ送りする。８はこのピッチ送り手段３に組み付けられた円弧状の押えレバーであり、その先端部がテープ１の上面に押当して、ピッチ送り時にテープ１ががたつくのを防止する。
　第２図は、スプロケット６とギヤ７の駆動手段を示すものであって、１１はスプロケット６とギヤ７の回転軸１４に装着された回転レバーであり、・・・（中略）・・・レバー１１は回転軸１４を中心に往復回転して、ギヤ７とスプロケット６は間欠的にピッチ回転し、テープ１はピッチ送りされる。なおこのようなテープ１のピッチ送り手段は周知手段である。
　第１図において、２０は上記レール２上に配設されたカバーフレームであって、テープ１の摺動を案内するものであり、切欠孔２１が形成されている。第３図に示すように、上記テープ１は、肉厚の中テープ１ａの表面と裏面に、薄いカバーテープ１ｂとベーステープ１ｃを貼着して形成されており、この中テープ１ａにピッチをおいて形成されたポケット９に、チップ９が収納されている。このカバーテープ１ｂは、上記切欠孔２１で折り返されて導出し、巻取りリール２２に巻き取られる。すなわちこの切欠孔２１は、カバーテープ１ｂの剥離手段となっている。
　第２図に示すように、この巻取りリール２２は、・・・（中略）・・・テープ１のピッチ送りに同期してピッチ回転し、カバーテープ１ｂを巻取る。」（明細書第５頁第７行〜第７頁第１２行）
（１−２）「１７はこのポケット９内のチップＰを吸着してテイクアップし、基板に移送搭載するための吸着ノズルである。」（明細書第７頁第１９行〜第８頁第２行）
（１−３）「第１図及び第２図において、３０はシャッターである。このシャッター３０は、カバーフレーム２０の先端部にあって、チップＰがポケット９から飛び出すのを防止するものであり、突部１０側に突出する突起３１を有している。このシャッター３０は、ブラケット３２と一体的に形成されている。・・・（中略）・・・この切溝３５に、上記レバー１１に立設されたピン３６が係合している。したがって上記のようにレバー１１が往復回転すると、ブラケット３２は往復動し、突起３１はポケット９上に突出して、ポケット９内のチップＰがピッチ送りにともなうテープ１のがたつきにより、ポケット９から不要に飛び出すのを防止する（第４図鎖線参照）。なおこの突起３１は、ノズル１７が下降してチップＰをテイクアップする際には、テイクアップの障害にならないように第４図実線位置に退去する。」（明細書第８頁第３行〜第９頁第３行）
　
　上記各記載事項及び図面第１図ないし第４図の記載を総合すると、引用刊行物１には、「ピッチをおいて形成されたポケット９にチップＰが封入された電子部品封入テープ１を案内するレール２と、このレール２の前方にあってこのレール２の上面に沿ってこのテープ１をピッチ送りするスプロケット６を有するピッチ送り手段３と、このスプロケット６をピッチ回転させる回転レバー１１と、吸着ノズル１７のテイクアップ位置に送られるチップＰのポケット９内からの飛び出しを防止するシャッター３０とを備え、このシャッター３０が、前記回転レバー１１に駆動されて前記スプロケット６がピッチ回転するのに連動して往復動することにより前記テイクアップ位置において前記ポケット９を開閉する突起３１を有しており、このシャッター３０とは別体のカバーフレーム２０に切欠孔２１を形成し、この切欠孔２１を上記電子部品封入テープ１の表面に貼着されたカバーテープ１ｂを剥離する剥離手段とする、テープフィーダを用いたチップＰのテイクアップ方法であって、上記剥離手段によって上記カバーテープ１ｂが剥された後の上記カバーテープ１ｂに覆われていないチップＰをカバーフレーム２０の先端部にある前記シャッター３０の突起３１により覆い、チップＰが吸着ノズル１７によるテイクアップ位置までピッチ送りされると、このピッチ送りに連動して上記シャッター３０がテープ１の送り方向に往復動して上記ポケット９を開放し、上記吸着ノズル１７によりチップＰをテイクアップするチップＰのテイクアップ方法」の発明（以下、「引用刊行物１記載の発明」という。）が記載されていると認められる。
　
２−２．引用刊行物２記載の発明
　引用刊行物２には、キャリヤテープの長手方向に沿って等ピッチでかつ上向きに開口して形成された多数の電子部品収容凹部の各々から吸着具によりチップ状の電子部品を取り出す方法に関して、図面第１図ないし第９図と共に、次の事項が記載されている。
（２−１）「前記スライダ３４の前端部には、前記ガイド溝１２と共にテープガイドを構成してテーピング電子部品１４を案内する断面コの字形状のカバー８６が回動可能に取り付けられ、・・・（中略）・・・スライダ３４の前進、後退運動に伴って送り部材２８と共に前進、後退させられるようになっている。カバー８６の上面には、第２図に示されているように、キャリヤテープ２０から剥がされたカバーフィルム２２を引き出すスロット９８、送りピン６４，６４の突出を許容するスロット１００、位置決めピン７０，７０の突出を許容するスロット１０２、およびキャリヤテープ２０からチップ２４を取り出すための取出穴１０４が設けられている。取出穴１０４は収納凹部１６よりも広く形成されており、カバー８６の取出穴１０４よりテープ送り方向Ａに対して下流側の部分は、単にテープ押さえとして機能する一方、取出穴１０４の上流側端縁より上流側の部分はテープ押さえとして機能するとともにチップ２４の収納凹部１６からの抜け出し、姿勢の変化を防止するカバーとして機能する。
　スロット９８から引き出されたカバーフィルム２２は前記ブラケット５２に回転可能に取り付けられた巻取りリール１０６に巻き取られるようになっている。」（第４頁右下欄第８行〜第５頁左上欄第１８行）
（２−２）「また、カバー８６の上方には、下端面１１４に空気吸引口を有する円筒状の吸着具１１６が昇降可能に設けられており、収容凹部１６内の電子部品は、キャリヤテープ２０からカバーフィルム２２を剥がされた後、この吸着具１１６の真下に位置決めされて吸着され、取り出されるようになっている。」（第５頁右上欄第２０行〜左下欄第６行）
（２−３）「続いて、戻しレバー４６に対するカム装置の押圧作用が解除されるのに伴ってスライダ３４がスプリング４２，４２により前進運動させられることによって、第７図（ｂ）に示されているように、キャリヤテープ２０はカバー８６と共にテープ送り方向Ａへ収納凹部１６の１ピッチ（以下、単に１ピッチという）だけ前進させられ、最前の収納凹部１６が切欠１１８と吸着具１１６との真下に位置する状態となる（キャリヤテープ送り工程）。このキャリヤテープ２０の前進時には、スライダ３４や送り部材２８の移動に伴う振動、或いは移動開始時や停止時のショック等によってチップ２４が収納凹部１６内で浮き上がることがあるが、チップ２４はカバー８６或いはカバー８６の切欠１１８を画定する部分によって覆われているため、収納凹部１６から飛び出したり転倒したりすることはない。また、この時カバーフィルム２２を巻き取る巻取りリール１０６が逆回転し、カバーフィルム２２はキャリヤテープ２０の前進に伴って巻取りリール１０６から一定長さ引き出される。続いて、被駆動部６８に対するカム装置の押圧作用により、送り部材２８が離脱運動させられて送りピン６４，６４が送り穴１８，１８から離脱させられる一方、位置決め部材３８が係合運動させられて位置決めピン７０，７０が送り穴１８，１８に係合させられ、キャリヤテープ２０が精度良く位置決めされる。
　そして、このようにキャリヤテープ２０が位置決めされた状態において、吸着具１１６が空気吸引を開始させられるとともに下降させられ、第８図および第７図（ｂ）において二点鎖線で示されるように、切欠１１８を通過してその下端面１１４がチップ２４の上面に接触させられ、チップ２４を吸着する（吸着工程）。この際、吸着されるべきチップ２４は切欠１１８の真下に位置し、そのテープ送り方向Ａに直角な方向の両端がカバー８６によって覆われることにより収納凹部１６からの抜け出しを防止されているため、吸着途中にチップ２４が立ち上がることはなく、吸着不良を生ずることがない。
　上記のようにしてチップ２４が吸着された状態において、カバー８６は離脱位置に保持された送り部材２８と共に、戻しレバー４６に対するカム装置の押圧作用によって後退位置まで後退させられる（カバー部材後退工程）。このカバー８６の後退に伴って、第９図に示されているようにチップ２４は取出穴１０４のほぼ中央に位置し、カバー８６によって覆われない状態となるのであり、この状態において吸着具１１６が下降位置から上昇させられることにより収納凹部１６からチップ２４が取り出される（取出し工程）。
　また、上記カバー８６の後退に伴ってキャリヤテープ２０の収容凹部１６の内、まだカバーフィルム２２により覆われているものの最前のものが第７図（ｃ）に示されているようにスロット９８をテープ送り方向に通過することとなる。その結果、カバーフィルム２２の既に剥がされた部分が折り返されてまだ剥がされていない部分に重なり、上記スロット９８を通過した収容凹部１６を二重に覆う状態でキャリヤテープ２０とカバー８６との間に挟まれた状態となる。
　そして、チップ２４の取出しと並行して昇降部材１０９がカム装置によって押し下げられ、巻取りリール１０６が正方向へ回転させられて、カバーフィルム２２がスロット９８から引き出され、第７図（ｃ）に示されている状態からスロット９８の位置まで剥がされ、第７図（ａ）の状態となる。この状態になればカバーフィルム２２の剥離はカバー８６によって、更に詳細にはスロット９８の縁によって阻止され、カバーフィルム２２が余分に剥がされることはない。カバーフィルム２２が剥がされる際キャリヤテープ２０には振動が生じ易く、その振動によってチップ２４が浮き上がることが多いのであるが、カバーフィルム２２が剥がされる際には収容凹部１６が既にスロット９８を通過しているため、チップ２４のかど部がスロット９８の縁に引っ掛かる恐れはない。・・・（中略）・・・
　そして、以後、上述したように送り部材２８の前進、離脱、後退および係合運動が繰り返されることにより、キャリヤテープ２０は一定距離ずつ送られるとともに、位置決め部材３８の係合、離脱運動によってその都度位置決めされ、この位置決めされた状態において収容凹部１６からチップ２４が１個ずつ取り出される。また、チップ２４が１個取り出される毎にカバーフィルム２２は収容凹部１６の１ピッチに等しい長さずつキャリヤテープ２０から剥がされて巻取りリール１０６に巻き取られる。」（第６頁右上欄第３行〜第７頁左下欄第４行）
　
　上記各記載事項及び図面第１図ないし第９図の記載を総合すると、引用刊行物２には、「上面にスロット９８が設けられた断面コの字形状のカバー８６を備えた装置を用いたチップ２４の取り出し方法であって、カバーフィルム２２が剥がされた後の上記カバーフィルム２２に覆われていないチップ２４を前記カバー８６により面で覆い、チップ２４が吸着具１１６による取り出し位置までピッチ送りされると、このピッチ送りに連動して上記カバー８６がキャリヤテープ２０の送り方向に前進、後退して収容凹部１６を開放し、上記吸着具１１６によりチップ２４を取り出すチップ２４の取り出し方法」の発明（以下、「引用刊行物２記載の発明」という。）が記載されていると認められる。
　
２−３．引用刊行物３記載の発明
　引用刊行物３には、電子部品装着装置に電子部品を供給するための部品供給装置に関して、図面第１図及び第２図と共に、次の事項が記載されている。
　「テープリール２はベースフレーム１１に固定されたフレーム４のシャフト３に装着され、規定片７とベースフレーム１１をガイドとし挿入され、被覆テープ１０は規定片７により剥離され、凹状の搬送テープ５の小穴にスプロケット（図示されていない）によりＢ方向にピッチ送りを行うよう装着され、カバー２６及びスプリング３９により押さえられている。」（第２頁右上欄第１３行〜第２０行）
　
　また、引用刊行物３の図面第１図及び第２図には、電子部品を収納した搬送テープ５を巻装した「テープリール２」を備えること、及び、被覆テープ１０を剥離する規定片７のスリットの縁部に「剥離刃」を設けることが記載されていると認められる。
　
３．対比
　本願発明と引用刊行物１記載の発明とを対比すると、引用刊行物１記載の発明の「チップＰ」、「レール２」、「回転レバー１１」、「吸着ノズル１７」は、それぞれ、本願発明の「電子部品」、「ガイド部材」、「レバー」、「移載ヘッド」に相当する。
　また、引用刊行物１に記載の「テイクアップ」という用語は、本願発明の「ピックアップ」という用語と同義といえるから、引用刊行物１記載の発明の「テイクアップ位置」、「テイクアップ方法」は、それぞれ、本願発明の「ピックアップ位置」、「ピックアップ方法」に相当する。
　更に、引用刊行物１記載の発明の「シャッター３０」は、吸着ノズル１７のテイクアップ位置に送られるチップＰのポケット９内からの飛び出しを防止するためのものであって、「回転レバー１１に駆動されてスプロケット６がピッチ回転するのに連動して往復動することによりテイクアップ位置においてポケット９を開閉する」ものといえる点で、本願発明の「移載ヘッドのピックアップ位置に送られる電子部品のポケット内からの飛び出しを防止する」ための「レバーに駆動されてスプロケットがピッチ回転するのに連動して往復動することによりピックアップ位置においてポケットを開閉する」「シャッタ手段」に相当する。
　よって、本願発明と引用刊行物１記載の発明とは、「ピッチをおいて形成されたポケットに電子部品が封入された電子部品封入テープを案内するガイド部材と、このガイド部材の前部にあってこのガイド部材の上面に沿ってこのテープをピッチ送りするスプロケットを有するピッチ送り手段と、このスプロケットをピッチ回転させるレバーと、移載ヘッドのピックアップ位置に送られる電子部品のポケット内からの飛び出しを防止するシャッター手段とを備え、このシャッター手段が、前記レバーに駆動されて前記スプロケットがピッチ回転するのに連動して往復動することにより前記ピックアップ位置において前記ポケットを開閉するシャッター手段からなる、テープフィーダを用いた電子部品のピックアップ方法であって、電子部品が移載ヘッドによるピックアップ位置までピッチ送りされると、このピッチ送りに連動して上記シャッター手段がテープの送り方向に往復動して上記ポケットを開放し、上記移載ヘッドにより電子部品をピックアップする、電子部品のピックアップ方法」である点で一致し、次の３点で相違している。
　
《相違点１》
　本願発明では、ピッチをおいて形成されたポケットに電子部品が封入された電子部品封入テープを巻装する「供給リール」を用いるのに対して、引用刊行物１記載の発明では、そのような供給リールについて言及がない点。
《相違点２》
　シャッター手段及びカバーテープの剥離手段の構成に関して、本願発明では、シャッター手段が「シャッター板」からなり、「このシャッター板にスリットを形成し、このスリットの縁部に電子部品封入テープの上面に貼着されたカバーテープを剥離する剥離刃を設けることにより、このシャッター板と剥離部を一体的に形成した」ものであるのに対して、引用刊行物１記載の発明では、シャッター３０とは別体のカバーフレーム２０に切欠孔２１を形成し、この切欠孔２１を電子部品封入テープ１の表面に貼着されたカバーテープ１ｂを剥離する剥離手段とするものである点。
《相違点３》
　カバーテープ剥離後のポケット内からの電子部品の飛び出し防止に関して、本願発明では、剥離刃によってカバーテープが剥された後の上記カバーテープに覆われていない電子部品を「シャッター板により面で覆う」ものであるのに対して、引用刊行物１記載の発明では、剥離手段（切欠孔２１）によってカバーテープ１ｂが剥された後の上記カバーテープ１ｂに覆われていないチップＰを「カバーフレーム２０の先端部にあるシャッター３０の突起３１により覆う」ものであって、剥離手段（切欠孔２１）とシャッター３０の突起３１との間では、カバーフレーム２０により面で覆うものである点。
　
４．当審の判断
　上記各相違点について、以下で検討する。
《相違点１について》
　テープフィーダにおいて、ピッチをおいて形成されたポケットに電子部品が封入された電子部品封入テープを巻装する「供給リール」を備えることは、従来周知の技術であり（例えば、引用刊行物３に記載の「テープリール２」、参照）、上記相違点１における本願発明の構成は、上記周知の技術を明示したものにすぎない。
《相違点２について》
　引用刊行物２に記載のカバー８６は、その上面（断面コの字形状の上壁部）が平板状であることから、本願発明の「シャッター板」に相当するものであり、また、当該カバー８６の上面に設けられたスロット９８は、キャリヤテープ２０から剥がされたカバーフィルム２２を引き出すものである点で、本願発明の「スリット」に相当するものといえる。
　また、スリットの縁部に、電子部品封入テープの上面に貼着されたカバーテープを剥離する剥離刃を設けることは、引用刊行物３に記載されているように、従来周知の技術である。
　そして、引用刊行物１記載の発明における、シャッター３０と剥離手段（切欠孔２１）とを別体とする構成に替えて、引用刊行物２に記載のスロット９８の縁部に上記周知技術の剥離刃を採用したカバー８６を適用して、上記相違点２における本願発明の構成のように、シャッター板と剥離部を一体的に形成することは、それぞれの引用刊行物記載の発明が属する技術分野の同一性と、上記適用に格別の阻害要因もないことから、当業者であれば、容易に想到できた設計事項といえる。
《相違点３について》
　上記《相違点２について》で説示したとおり、引用刊行物１記載の発明において、シャッター板と剥離部を一体的に形成することは、当業者であれば容易に想到できたことである。そして、引用刊行物２には、「カバーフィルム２２が剥がされた後の上記カバーフィルム２２に覆われていないチップ２４をカバー８６により面で覆う」ことが記載されており、このカバー８６は、シャッター板といえるものであることから、上記相違点３における本願発明の構成は、引用刊行物１ないし３に記載のものから、当業者であれば、容易に想到できたことである。
　
　また、本願発明が奏する作用効果も、引用刊行物１ないし３記載の発明から予測される程度以上のものでもない。
　
５．むすび
　したがって、本願発明は、引用刊行物１ないし３に記載された発明に基いて、当業者が容易に発明をすることができたものであるので、特許法第２９条第２項の規定により特許を受けることができない。
　よって、結論のとおり審決する。